(57)【要約】【課題】  ケーブルをケーブル引出部材（エンドベル）の内部に容易に挿通することができ、低背で、しかも、防水に支障が生じないケーブルコネクタを提供する。【解決手段】  第１のエンドベル５と第２のエンドベル８が４本のセムスねじ９によって固定され、アッセンブリナット３が第１のエンドベルに固定され、第１のエンドベルに固定されているプラグ２とレセプタクル（相手側コネクタ）２０が嵌合している。第１のエンドベルの第１の側壁５ａの上側に形成されている屈曲部５ｂの先端は、アッセンブリナットに挿入される。第２のエンドベルの引出部８ｂの中心線Ｃ−Ｃ′の位置は、プラグの各コンタクト２ａの端部２ａ１ａと第２の側壁８ａとの間の中心線の位置と同一位置である。両エンドベルは、Ａ−Ａ′ラインで分割される。したがって、ケーブル１３を両エンドベルとアッセンブリナットに挿通して各コンタクトの端部に接続する配線作業は、容易に行われる。【選択図】    図４
2007299649.tif 000002
【特許請求の範囲】
【請求項１】
嵌合離脱方向と直交する方向にケーブルを引き出すためのケーブル引出部材を備えるコネクタにおいて、
前記コネクタは、前記ケーブルとの結線部が設けられているコンタクトと、前記コンタクトを保持するハウジングとを有し、
前記ケーブル引出部材は、第１のケーブル引出部材と第２のケーブル引出部材とから構成され、
前記第１のケーブル引出部材は、前記コネクタの嵌合離脱方向において、第１の側壁が前記結線部の端部よりも相手側コネクタとの嵌合側に位置するための屈曲部を有し、
前記第２のケーブル引出部材は、前記ケーブルを引き出すための引出部と、第２の側壁とを有し、
前記コネクタの嵌合離脱方向において、前記引出部の中心線の位置は前記結線部の端部と前記第２の側壁との間の中心線の位置と同一位置か、又は当該中心線の位置よりも前記相手側コネクタとの嵌合側に位置することを特徴とするケーブルコネクタ。
【請求項２】
嵌合離脱方向と直交する方向にケーブルを引き出すためのケーブル引出部材を備えるコネクタにおいて、
前記コネクタは、前記ケーブルとの結線部が設けられているコンタクトと、前記コンタクトを保持するハウジングとを有し、
前記ケーブル引出部材は、第１のケーブル引出部材と第２のケーブル引出部材とから構成され、
前記第１のケーブル引出部材は、前記コネクタの嵌合離脱方向において、第１の側壁が前記結線部の端部よりも相手側コネクタとの嵌合側に位置するための屈曲部を有し、
前記第２のケーブル引出部材は、前記ケーブルを引き出すための引出部と、第２の側壁とを有し、
前記コネクタの嵌合離脱方向において、前記引出部の中心線の位置は前記結線部の端部の位置と同一位置か、又は前記結線部の端部の位置よりも前記相手側コネクタとの嵌合側に位置することを特徴とするケーブルコネクタ。
【請求項３】
前記第１のケーブル引出部材と前記第２のケーブル引出部材とは、両者の間にパッキングが介在して接合され、ねじによって固定されることを特徴とする請求項１又は２記載のケーブルコネクタ。
【発明の詳細な説明】
【技術分野】
【０００１】
本発明は、ケーブルコネクタに関し、詳しく述べると、ケーブルコネクタの低背、防水及びケーブル配線の作業改善に関する。
【背景技術】
【０００２】
従来のケーブルコネクタについて図９〜図１３を参照して説明する。
【０００３】
図９は、従来のケーブルコネクタ（以下「コネクタ」ということがある。）２１の全体が組み立てられてレセプタクル（相手側コネクタ）３０と嵌合した状態の縦断面図である。
【０００４】
レセプタクル３０はプラグ２２と嵌合し、プラグ２２の右側はアッセンブリナット２３に挿入される。プラグ２２は、止めねじ２４によってアッセンブリナット２３に固定される。アッセンブリナット２３は、アングルエンドベル２５にリティニングリング２６によって固定される。アングルエンドベル２５の下部には、ケーブルクランプ２７によってケーブル２８が固定されている。
【０００５】
リティニングリング２６とアングルエンドベル２５の間には、Ｏリング２９が介在する。リティニングリング２６には、止めねじ２４用の穴が開けられている。
【０００６】
コネクタ２１の組立工程について図１０〜図１３を参照して説明する。
【０００７】
図１０は、ケーブル２８がアングルエンドベル２５を挿通して、ケーブル２８の芯線部２８ａの先端がプラグ２２のコンタクト２２ａの結線部２２ａ１の端部２２ａ１ａに半田付けされた状態を示す断面図である。アングルエンドベル２５の内側には、ケーブル２８が挿通し易くするために、曲げ半径２５ａが適度に形成されている。
【０００８】
図１１に示されるように、ケーブル２８をアングルエンドベル２５から矢印右下方向に引き出し、アングルエンドベル２５とアッセンブリナット２３を矢印左方向に移動する。
【０００９】
図１２に示されるように、アッセンブリナット２３を矢印方向にプラグ２２にはめ込んで、止めねじ２４によってプラグ２２をアッセンブリナット２３に固定する。このとき、ケーブル２８の芯線部２８ａは、折り曲がる。
【００１０】
そして、図１３に示されるように、ケーブル２８にはめたケーブルクランプ２７を、アングルエンドベル２５の下部に矢印方向にねじ込む。
【００１１】
この種のケーブルコネクタは、本出願前に頒布された刊行物に記載されている（例えば、特許文献１，２参照。）。
【００１２】
【特許文献１】特開平９−３０６５８８号公報
【特許文献２】特開２００２−３５２９０１号公報
【発明の開示】
【発明が解決しようとする課題】
【００１３】
従来のケーブルコネクタにおいては、アングルエンドベルの内部にケーブルを屈曲させながら挿通せざるを得ない。したがって、ケーブルが曲げ半径が小さく硬い場合、ケーブルを挿通する作業が煩雑である。
【００１４】
また、アングルエンドベルは、単一部品で、高さが相当に高いため、アングルエンドベルを小型省スペースの機械に設置することができない。ただし、アングルエンドベルは、単一部品であるため、防水構造について配慮する必要がない。
【００１５】
そこで、本発明は、前記従来のケーブルコネクタの欠点を改良し、ケーブルをケーブル引出部材（エンドベル）の内部に容易に挿通することができ、低背で、しかも、防水に支障が生じないケーブルコネクタを提供しようとするものである。
【課題を解決するための手段】
【００１６】
本発明は、前記課題を解決するため、次の手段を採用する。
【００１７】
１．嵌合離脱方向と直交する方向にケーブルを引き出すためのケーブル引出部材を備えるコネクタにおいて、前記コネクタは、前記ケーブルとの結線部が設けられているコンタクトと、前記コンタクトを保持するハウジングとを有し、前記ケーブル引出部材は、第１のケーブル引出部材と第２のケーブル引出部材とから構成され、前記第１のケーブル引出部材は、前記コネクタの嵌合離脱方向において、第１の側壁が前記結線部の端部よりも相手側コネクタとの嵌合側に位置するための屈曲部を有し、前記第２のケーブル引出部材は、前記ケーブルを引き出すための引出部と、第２の側壁とを有し、前記コネクタの嵌合離脱方向において、前記引出部の中心線の位置は前記結線部の端部と前記第２の側壁との間の中心線の位置と同一位置か、又は当該中心線の位置よりも前記相手側コネクタとの嵌合側に位置するケーブルコネクタ。
【００１８】
２．嵌合離脱方向と直交する方向にケーブルを引き出すためのケーブル引出部材を備えるコネクタにおいて、前記コネクタは、前記ケーブルとの結線部が設けられているコンタクトと、前記コンタクトを保持するハウジングとを有し、前記ケーブル引出部材は、第１のケーブル引出部材と第２のケーブル引出部材とから構成され、前記第１のケーブル引出部材は、前記コネクタの嵌合離脱方向において、第１の側壁が前記結線部の端部よりも相手側コネクタとの嵌合側に位置するための屈曲部を有し、前記第２のケーブル引出部材は、前記ケーブルを引き出すための引出部と、第２の側壁とを有し、前記コネクタの嵌合離脱方向において、前記引出部の中心線の位置は前記結線部の端部の位置と同一位置か、又は前記結線部の端部の位置よりも前記相手側コネクタとの嵌合側に位置するケーブルコネクタ。
【００１９】
３．前記第１のケーブル引出部材と前記第２のケーブル引出部材とは、両者の間にパッキングが介在して接合され、ねじによって固定される前記１又は２記載のケーブルコネクタ。
【発明の効果】
【００２０】
明細書の説明から明らかなように、本発明は、次の効果を奏する。
【００２１】
１．コネクタの嵌合離脱方向において、第１のケーブル引出部材の第１の側壁は、コンタクトの結線部の端部よりも相手側コネクタとの嵌合側に位置するための屈曲部を有する。また、コネクタの嵌合離脱方向において、第２のケーブル引出部材の引出部の中心線の位置は、結線部の端部と第２のケーブル引出部材の第２の側壁との間の中心線の位置と同一位置か、若しくは当該中心線の位置よりも相手側コネクタとの嵌合側に位置するか、又は結線部の端部の位置と同一位置か、若しくは結線部の端部の位置よりも相手側コネクタとの嵌合側に位置する。したがって、ケーブルを第１、第２の両ケーブル引出部材内に挿通する作業を容易に行うことができる。更に、コネクタを低背（図４における左右方向の寸法が小さいこと。）に構成することができる。
【００２２】
２．第１、第２の両ケーブル引出部材は、両者の間にパッキングが介在して接合され、ねじによって固定されるので、防水が確実に行われる。
【発明を実施するための最良の形態】
【００２３】
本発明の一実施例のケーブルコネクタについて説明する。
【実施例１】
【００２４】
本発明の実施例１について図１〜図８を参照して説明する。
【００２５】
まず、本発明の実施例１のケーブルコネクタ（以下「コネクタ」ということがある。）１を構成する部品について図１〜図３を参照して説明する。
【００２６】
図１は、コネクタ１の分解斜視図である。レセプタクル（相手側コネクタ）２０はプラグ２と嵌合し、プラグ２の右側はアッセンブリナット３に挿入される。プラグ２は、２本の止めねじ４によってアッセンブリナット３に固定される。アッセンブリナット３は、第１のエンドベル（下蓋、第１のケーブル引出部材）５にリティニングリング６によって固定される（図２参照）。第１のエンドベル５は、第２のエンドベル（上蓋、第２のケーブル引出部材）８に４本のセムスねじ９によって固定される。第２のエンドベル８の下部には、ケーブルクランプ１０が固定される。
【００２７】
プラグ２は、複数のコンタクト２ａと、各コンタクト２ａを保持するハウジング２ｂとを有する。
【００２８】
図２は、アッセンブリナット３がリティニングリング６によって固定されている第１のエンドベル５の縦断面図である。アッセンブリナット３と第１のエンドベル５の間には、Ｏリング７が介在する。アッセンブリナット３の２箇所には、止めねじ４用の穴３ａが開けられている。
【００２９】
図３は、第１のエンドベル５を裏側から見た斜視図である。第１のエンドベル５の内部には、圧着端子１１がタッピングねじ１２によって固定され、ケーブル１３のアースが矢印方向に圧着端子１１に接続される。第１のエンドベル５と第２のエンドベル８の間には、ガスケット（パッキング）１４が介在する。
【００３０】
続いて、組み立てられたコネクタ１の全体について説明する。図４は、第１のエンドベル５と第２のエンドベル８が４本のセムスねじ９によって固定され、アッセンブリナット３が第１のエンドベル５に固定され、第１のエンドベル５に固定されているプラグ２とレセプタクル（相手側コネクタ）２０が嵌合した状態を示す縦断面図である。
【００３１】
本実施例１においては、第１のエンドベル５と第２のエンドベル８は、Ａ−Ａ′ラインで分割される。したがって、ケーブル１３を第２のエンドベル８、第１のエンドベル５及びアッセンブリナット３に挿通してプラグ２の各コンタクト２ａの結線部２ａ１の端部２ａ１ａに接続する配線作業は、容易に行われる。
【００３２】
第２のエンドベル８の右側をＢ−Ｂ′ラインで分割すると、配線作業を容易に行い難い。
【００３３】
プラグ２の各コンタクト２ａの端部２ａ１ａと第２のエンドベル８の第２の側壁８ａの間の中心線となるＣ−Ｃ′ラインで第２のエンドベル８を分割すると、次の欠点が生じる。すなわち、ケーブルクランプ１０を第２のエンドベル８に接続することによって防水が行われるため、接続及びシールの各不具合により防水の信頼性は低い。
【００３４】
更に、コネクタ１の組立工程について図５〜図８を参照して説明する。
【００３５】
図５は、ケーブル１３が第２のエンドベル８の引出部８ｂと第１のエンドベル５とアッセンブリナット３とを挿通して、ケーブル１３の芯線部１３ａの先端がプラグ２の各コンタクト２ａの端部２ａ１ａに半田付けされた状態を示す断面図である。第１のエンドベル５の第１の側壁５ａの上側には、屈曲部５ｂが形成され、屈曲部５ｂの先端はアッセンブリナット３に挿入されている。
【００３６】
図６は、アッセンブリナット３を矢印方向にプラグ２にはめ込んで、２本の止めねじ４によってプラグ２をアッセンブリナット３に固定した状態を示す断面図である。
【００３７】
図６における第２のエンドベル８をケーブル１３に沿って図７における破線の位置まで左方に移動する。続いて、ケーブル１３の芯線部１３ａを破線の位置から実線の位置まで矢印方向に折り曲げる。
【００３８】
そして、図８に示されるように、第２のエンドベル８を矢印左方向に第１のエンドベル５に当接させ、４本のセムスねじ９によって固定する。また、ケーブルクランプ１０を矢印上方向に第２のエンドベル８の下部にねじ込む。
【００３９】
本実施例１においては、コネクタ１の嵌合離脱方向において、第２のケーブル引出部材８の引出部８ｂの中心線Ｅ−Ｅ′の位置は、各コンタクト２ａの端部２ａ１ａと第２の側壁８ａとの間の中心線Ｄ−Ｄ′の位置よりもレセプタクル（相手側コネクタ）２０との嵌合側に位置しているが、中心線Ｄ−Ｄ′と中心線Ｅ−Ｅ′は同一位置に位置するように設計変更することができる。
【００４０】
また、前記中心線Ｅ−Ｅ′の位置は、各コンタクト２ａの端部２ａ１ａの位置よりもレセプタクル（相手側コネクタ）２０との嵌合側に位置しているが、各コンタクト２ａの端部２ａ１ａの位置と同一位置に位置するように設計変更することができる。
【図面の簡単な説明】
【００４１】
【図１】本発明の実施例１のケーブルコネクタの分解斜視図である。
【図２】ケーブルコネクタにおけるアッセンブリナットがリティニングリングによって固定されている第１のエンドベルの縦断面図である。
【図３】ケーブルコネクタにおける第１のエンドベルを裏側から見た斜視図である。
【図４】レセプタクル（相手側コネクタ）と嵌合した状態のケーブルコネクタの縦断面図である。
【図５】ケーブルコネクタの第１組立工程の断面図である。
【図６】ケーブルコネクタの第２組立工程の断面図である。
【図７】ケーブルコネクタの第３組立工程の断面図である。
【図８】ケーブルコネクタの第４組立工程の断面図である。
【図９】レセプタクル（相手側コネクタ）と嵌合した状態の従来のケーブルコネクタの縦断面図である。
【図１０】従来のケーブルコネクタの第１組立工程の断面図である。
【図１１】従来のケーブルコネクタの第２組立工程の断面図である。
【図１２】従来のケーブルコネクタの第３組立工程の断面図である。
【図１３】従来のケーブルコネクタの第４組立工程の断面図である。
【符号の説明】
【００４２】
１  ケーブルコネクタ、コネクタ
２  プラグ
２ａ  コンタクト
２ａ１  結線部
２ａ１ａ  端部
２ｂ  ハウジング
３  アッセンブリナット
３ａ  穴
４  止めねじ
５  第１のエンドベル、下蓋、第１のケーブル引出部材
５ａ  第１の側壁
５ｂ  屈曲部
６  リティニングリング
７  Ｏリング
８  第２のエンドベル、上蓋、第２のケーブル引出部材
８ａ  第２の側壁
８ｂ  引出部
９  セムスねじ
１０  ケーブルクランプ
１１  圧着端子
１２  タッピングねじ
１３  ケーブル
１３ａ  芯線部
１４  ガスケット、パッキング
２０  レセプタクル、相手側コネクタ
【図１】
2007299649.tif 000003
【図２】
2007299649.tif 000004
【図３】
2007299649.tif 000005
【図４】
2007299649.tif 000006
【図５】
2007299649.tif 000007
【図６】
2007299649.tif 000008
【図７】
2007299649.tif 000009
【図８】
2007299649.tif 000010
【図９】
2007299649.tif 000011
【図１０】
2007299649.tif 000012
【図１１】
2007299649.tif 000013
【図１２】
2007299649.tif 000014
【図１３】
2007299649.tif 000015